(57)【要約】【課題】自己の制御のせいで有線接続先の電子機器が不用意にパワーセーブモードに陥ったままになることを防止する電子機器を提供する。【解決手段】パワーセーブモードを有する電子機器との有線接続に用いられる同一種類の有線接続用端子（３Ａ１〜３Ａ３）を複数備え、前記複数の有線接続用端子のいずれからソースデータを入力するかを選択する選択手段（３Ｄ，３Ｅ）と、前記選択手段の選択により入力切替が行われた後に、通常動作モードへの移行を要求するコマンドを前記パワーセーブモードを有する電子機器に対して有線送信する送信手段（例えばＣＰＵ）とを備える電子機器。【選択図】図４
2010010855.tif 000002
【特許請求の範囲】
【請求項１】
パワーセーブモードを有する電子機器との有線接続に用いられる同一種類の有線接続用端子を複数備え、
前記複数の有線接続用端子のいずれからソースデータを入力するかを選択する選択手段と、
前記選択手段の選択により入力切替が行われた後に、通常動作モードへの移行を要求するコマンドを前記パワーセーブモードを有する電子機器に対して有線送信する送信手段とを備えることを特徴とする電子機器。
【請求項２】
前記有線接続がＨＤＭＩ接続であり、前記ソースデータが音声・映像データであり、前記通常動作モードへの移行を要求するコマンドが特定のＣＥＣコマンドであることを特徴とする請求項１に記載の電子機器。
【請求項３】
前記送信手段が、前記選択手段の選択により入力切替が行われた後、所定時間待機してから、通常動作モードへの移行を要求するコマンドを前記パワーセーブモードを有する電子機器に対して有線送信することを特徴とする請求項１又は請求項２に記載の電子機器。
【請求項４】
前記選択手段の選択により入力切替が行われた後、前記パワーセーブモードを有する電子機器が通常動作モードであるか否かを判定する判定手段を備え、
前記判定手段により前記パワーセーブモードを有する電子機器が通常動作モードであると判定された場合は、前記送信手段が通常動作モードへの移行を要求するコマンドを前記パワーセーブモードを有する電子機器に対して有線送信しないことを特徴とする請求項１〜３のいずれか１項に記載の電子機器。
【発明の詳細な説明】
【技術分野】
【０００１】
本発明は、パワーセーブモードを有する電子機器との有線接続が可能な電子機器に関する。
【背景技術】
【０００２】
ＨＤＭＩ（High Definition Multimedia Interface）は、デジタルＡＶ機器向けのデジタルインタフェースで、映像や音声などのデータを１本のケーブルで高速伝送することができる。近年の薄型ＴＶやＤＶＤレコーダなどのデジタルＡＶ機器では、ＨＤＭＩ端子を標準搭載しているものが増加している。
【０００３】
ＨＤＭＩ端子を有するデジタルＡＶ機器間の接続に用いられるＨＤＭＩケーブルは、以下の第１〜第５の信号線を有している。
【０００４】
第１の信号線は、音声・映像データ（以下、ＡＶデータという）とインフォフレーム（ＡＶデータのフォーマットなどの情報）をＴＭＤＳ（Transition Minimized Differential Signaling）形式でソース機器からシンク機器へ片方向で伝送するＴＭＤＳデータ信号線である。
【０００５】
第２の信号線は、主に、ソース機器からシンク機器へのＡＶデータの送出開始タイミングを指示するために使用されるＨＰＤ（Hot Plug Detect）信号線である。
【０００６】
第３の信号線は、シンク機器の固有情報（ベンダ名、型番、許容解像度、ＨＤＭＩの端子番号など）をソース機器に伝送するために使用されるＤＤＣ（Display Data Channel）信号線である。また、ＤＤＣ信号線はＨＤＣＰ（High-bandwidth Digital Content Protection）認証にも使用される。ＤＤＣ信号線は、ＨＤＭＩケーブルがシンク機器のＨＤＭＩ端子に接続されているときに、シンク機器内のＮＶＲＡＭ（Non Volatile RAM）に接続されることになる。
【０００７】
第４の信号線は、ＣＥＣ（Consumer Electronics Control）機能を実現するために使用されるＣＥＣ信号線である。
【０００８】
ＣＥＣ機能とは、ソース機器とシンク機器との間の双方向制御を可能とする機能であり、ＡＶデータ出力の規格と共にＨＤＭＩ規格に規定されている。ＣＥＣ機能に対応する電子機器も既に多数販売されている。ＣＥＣ機能は、ソース機器とシンク機器との間で双方向でコマンドのやりとりが可能であるため、１対１の機器制御、１対複数の機器制御のいずれも可能である。
【０００９】
ＣＥＣ規格には、いろいろな機能が規定されている。例えば、Ｏｎｅ  Ｔｏｕｃｈ  Ｐｌａｙ機能は、ソース機器（例えばＤＶＤレコーダ）のＰｌａｙボタンを押すと、シンク機器（例えばデジタルテレビ）が、省電力待機状態を維持するスタンバイモードから通常動作状態を維持する電源ＯＮモードに自動で移行し、ＨＤＭＩケーブルによってソース機器に接続されているＨＤＭＩ端子を“入力”として選択するという動作を行うものである。ＣＥＣ規格には、他にも数多く機能が定義されているが、どの機能を製品で実現するかは、メーカーに委ねられている。
【００１０】
第５の信号線は、ソース機器からシンク機器に５Ｖ電源を供給するためのＤＤＣ５Ｖ信号線である。尚、シンク機器は、ソース機器からの５Ｖ電源が第５の信号線によって供給されてから、ＨＤＭＩ端子のＨＰＤピンに５ＶのＨＰＤ信号を出力するハード構成となっている。
【００１１】
【特許文献１】特開２００４−１８６９１９号公報（段落０００３）
【発明の開示】
【発明が解決しようとする課題】
【００１２】
ＨＤＭＩの利用形態の一つに、パワーセーブモードを有するビデオカメラをソース機器とし、デジタルテレビをシンク機器として、両者をＨＤＭＩケーブルによって接続する形態がある。
【００１３】
一般にビデオカメラやデジタルスチルカメラなどのモバイル型機器は、ＶＴＲやＤＶＤレコーダなどの据置型機器に比べ、消費電力を極力減らすことを念頭において設計されている。そのため、ビデオカメラやデジタルスチルカメラなどのモバイル型機器では、ユーザ操作が一定時間検知されない場合などは、通常動作状態を維持する電源ＯＮモードから省電力待機状態を維持するパワーセーブモードに移行する仕様になっているものが多い（特許文献１参照）。
【００１４】
通常、ビデオカメラがパワーセーブモードになっている場合、ユーザはビデオカメラの電源スイッチや他のキーを押すこと又はビデオカメラ専用リモコン送信機を操作することによりビデオカメラをパワーセーブモードから通常動作モードに移行させることができる。また、電源ＯＮモードへの移行を要求するＣＥＣコマンド（以下、電源ＯＮ要求コマンドという）をデジタルテレビからデジタルビデオカメラに送信し、パワーセーブモードであるデジタルビデオカメラを通常動作モードに移行させることもできる。しかしながら、その際、現在選択中の“入力”の状態によりＨＰＤ信号がＬｏｗレベルになるおそれがある。そして、ＨＰＤ信号がＬｏｗレベルになった場合、デジタルビデオカメラが不用意にパワーセーブモードに陥ることがある。
【００１５】
また、電源ＯＮ要求コマンドがデジタルビデオカメラからデジタルテレビに送信されたた際に、デジタルテレビ側で“入力”の切り替えが発生すると、ＨＰＤ信号がＬｏｗレベルになるおそれがある。そして、ＨＰＤ信号がＬｏｗレベルになった場合、デジタルビデオカメラが不用意にパワーセーブモードに陥ることがある。
【００１６】
そこで、本発明は、上記の状況に鑑み、自己の制御のせいで有線接続先の電子機器が不用意にパワーセーブモードに陥ったままになることを防止する電子機器を提供することを目的とする。
【課題を解決するための手段】
【００１７】
上記目的を達成するために、本発明に係る電子機器は、パワーセーブモードを有する電子機器との有線接続に用いられる同一種類の有線接続用端子を複数備え、前記複数の有線接続用端子のいずれからソースデータを入力するかを選択する選択手段と、前記選択手段の選択により入力切替が行われた後に、通常動作モードへの移行を要求するコマンドを前記パワーセーブモードを有する電子機器に対して有線送信する送信手段とを備える構成とする。
【００１８】
また、上記構成の電子機器において、前記有線接続がＨＤＭＩ接続であり、前記ソースデータが音声・映像データであり、前記通常動作モードへの移行を要求するコマンドが特定のＣＥＣコマンドであるようにしてもよい。
【００１９】
また、上記各構成の電子機器において、前記送信手段が、前記選択手段の選択により入力切替が行われた後、所定時間待機してから、通常動作モードへの移行を要求するコマンドを前記パワーセーブモードを有する電子機器に対して有線送信するようにしてもよい。
【００２０】
また、上記各構成の電子機器において、前記選択手段の選択により入力切替が行われた後、前記パワーセーブモードを有する電子機器が通常動作モードであるか否かを判定する判定手段を備え、前記判定手段により前記パワーセーブモードを有する電子機器が通常動作モードであると判定された場合は、前記送信手段が通常動作モードへの移行を要求するコマンドを前記パワーセーブモードを有する電子機器に対して有線送信しないようにしてもよい。
【発明の効果】
【００２１】
本発明によると、パワーセーブモードを有する電子機器をパワーセーブモードに陥らせてしまう可能性がある入力切替が行われた後に、通常動作モードへの移行を要求するコマンドを、パワーセーブモードを有する電子機器に対して有線送信するので、自己の制御のせいで有線接続先の電子機器が不用意にパワーセーブモードに陥ったままになることを防止することができる。
【発明を実施するための最良の形態】
【００２２】
本発明の実施形態について図面を参照して説明する。本発明に係る電子機器として、ここではデジタルテレビを例に挙げて説明する。
【００２３】
本発明に係るデジタルテレビの概略構成を図１に示す。本発明に係るデジタルテレビ１００は、チューナ２と、ＨＤＭＩ入力部３と、ＡＶ入力部４と、ＤＥＭＵＸ（デマルチプレクサ）５と、ＡＶデコーダ６と、リモコン受光部８と、スイッチ９と、映像処理部１０と、ＯＳＤ／スケーラ１１と、映像出力部１２と、音声処理部１３と、音声出力部１４と、スピーカ１５と、第１のＣＰＵ１６と、第２のＣＰＵ１７と、メモリ１８と、表示部１９と、ホットプラグ制御部２０とを備える。
【００２４】
アンテナ１は、屋外に配置されており、デジタル放送波を受信し、高周波デジタル変調信号をチューナ２に出力する。
【００２５】
チューナ２は、第１のＣＰＵ１６からのチャンネル選択信号によって物理チャンネルを選択する。チューナ２は、このチャンネル選択プロセスによって、高周波デジタル変調信号を特定周波数の信号に変換する。また、チューナ２は、選択されたデジタル変調信号を復調してトランスポートストリームを生成し、その生成したトランスポートストリームをＤＥＭＵＸ５に出力する。
【００２６】
ＤＥＭＵＸ５は、チューナ２から受け取ったトランスポートストリームを、ＭＰＥＧ２（Moving Picture Experts Group２）のビデオストリーム、オーディオストリーム、およびＰＳＩ／ＳＩ（Program Specific Information／Service Information）等に分離する。
【００２７】
ＡＶデコーダ６はビデオストリームに対してデコードを行うビデオデコーダ（不図示）と、オーディオストリームに対してデコードを行うオーディオデコーダ（不図示）とを備え、デコード後の映像音声情報をスイッチ９に出力する。
【００２８】
ＨＤＭＩ入力部３は、３つのＨＤＭＩ端子（図１において不図示）を有しており、各ＨＤＭＩ端子にＨＤＭＩケーブルが接続可能である。外部機器からＨＤＭＩケーブルのＴＭＤＳデータ信号線を介してＨＤＭＩ入力部３に入力された映像音声情報は、スイッチ９に入力される。また、３つのＨＤＭＩ端子のＣＥＣピンは直結されて第１のＣＰＵ１６に接続されているため、外部機器（ソース機器）からＨＤＭＩケーブルのＣＥＣ信号線を介してＨＤＭＩ入力部３に入力されたＣＥＣコマンドは、第１のＣＰＵ１６に入力される。また、第１のＣＰＵ１６からＨＤＭＩ入力部３へ出力されたＣＥＣコマンドは、ＨＤＭＩケーブルのＣＥＣ信号線を介して外部機器（ソース機器）に入力される。また、外部機器（ソース機器）からＨＤＭＩケーブルのＤＤＣ５Ｖ信号線、ＨＤＭＩ入力部３を介して５Ｖ電源がホットプラグ制御部２０に供給される。ＮＶＲＡＭ（不図示）がＨＤＭＩ端子毎に個別に設けられ、その個別に設けられたＮＶＲＡＭのうち、ＨＤＭＩケーブルが接続されているＨＤＭＩ端子に対応するＮＶＲＡＭにのみ、外部機器（ソース機器）からＨＤＭＩケーブルのＤＤＣ５Ｖ信号線、ＨＤＭＩ入力部３を介して５Ｖ電源が供給される。ホットプラグ制御部２０は、ＨＤＭＩ入力部３にＬｏｗレベル又はＨｉｇｈレベルの制御信号を出力することでソース機器からシンク機器へのＡＶデータの送出開始タイミングを指示する。
【００２９】
また、ＡＶ入力部４は図示しないＳ端子、Ｄ端子、ＲＣＡ端子を有し、外部機器からＳ端子ケーブルまたはＤ端子ケーブル及びＲＣＡ端子を介してＡＶ入力部４に入力された映像音声情報はスイッチ９へ出力される。
【００３０】
スイッチ９は、ＡＶデコーダ６、ＨＤＭＩ入力部３、ＡＶ入力部４の各映像音声入力を切り替えるスイッチである。映像処理部１０は、スイッチ９を介して入力される映像情報に対してデジタル映像処理を行う。ＯＳＤ／スケーラ１１は、第２のＣＰＵ１７から指示された文字情報や色情報に基づく映像データを生成したり、放送受信映像の縮小処理を行う回路である。このＯＳＤ／スケーラ１１により、番組情報に基づくＥＰＧ（Electronic Program Guide）表示、データ放送表示、メニュー画面表示などが行える。映像出力部１２は、ＯＤＳ／スケーラ１１から入力される映像情報を表示部１９の入力信号形式に変換する。そして、表示部１９は、映像出力部１２から入力される映像信号に基づき映像を表示する。
【００３１】
音声処理部１３は、スイッチ９を介して音声情報を受け取り、Ｄ／Ａ変換によるアナログ音声信号を音声出力部１４に出力する。音声出力部１４は、音声処理部１３から入力された音声信号を増幅等しスピーカ１５に出力する。そして、スピーカ１５は、音声出力部１４から入力された音声信号に基づき音声を発する。
【００３２】
リモコン送信機７は、本発明に係るデジタルテレビ１００に指令を送出するための送信機である。このリモコン送信機７に設けられたキーが操作されると、そのキーに対応したリモコン信号がリモコン送信機７の発光部から送出される。リモコン受光器８は、リモコン信号を受光し、これを電気信号に変換して第１のＣＰＵ１６に与える。
【００３３】
第１のＣＰＵ１６は、リモコン送信機７からのリモコン信号や図示しない操作部のキー操作による信号に対する処理、チューナ２などに対する制御を主に行う。そして、第１のＣＰＵ１６は、リモコン送信機７による電源ＯＦＦ（パワーセーブモードへの移行）が行われたときでも、電力供給を受けて動作しており、リモコン信号を監視する等の処理を行う。一方、第２のＣＰＵ１７は、ＯＳＤ／スケーラ１１、映像処理部１０、表示部２０などに対する制御を主に行う。第１のＣＰＵ１６と第２のＣＰＵ１７とは、相互に通信ができる仕様となっており、第１のＣＰＵ１６の制御により、第２のＣＰＵ１７や映像・音声処理部２１の各ブロックを停止／起動することが可能となっている。メモリ１８には、制御プログラムや各種データが格納される。
【００３４】
次に、本発明に係るデジタルテレビとのＨＤＭＩ接続（ＨＤＭＩケーブルを用いた有線接続）が可能であるデジタルビデオカメラの概略構成を図２に示す。本発明に係るデジタルテレビ１００とのＨＤＭＩ接続が可能であるデジタルビデオカメラ２００は、カメラ部３０と、マイク３１と、スピーカ３２と、画像音声処理部３３と、制御部３４と、外部メモリインタフェース３５と、操作部３６と、表示部３７と、ＨＤＭＩ出力部３８と、リモコン受光部３９とを備える。
【００３５】
制御部３４は、デジタルビデオカメラ内の各ブロックの動作制御処理、デジタルビデオカメラ内の各ブロックへの電源供給制御処理、ＨＤＭＩ出力部３８を介しての外部機器とのＣＥＣ通信処理などの各種処理を行い、デジタルビデオカメラ全体を制御する。
【００３６】
制御部３４は、デジタルビデオカメラ内の各ブロックの動作制御処理、デジタルビデオカメラ内の各ブロックへの電源供給制御処理などの処理によって、通常動作状態を維持する電源ＯＮモードと省電力待機状態を維持するパワーセーブモードとの切り替えも行っている。制御部３４は、以下の（１）及び（２）の一方又は両方のルールに従って電源ＯＮモードからパワーセーブモードへの移行を行う。尚、本実施形態においては、パワーセーブモードを、操作部３６又はデジタルビデオカメラ専用リモコン送信機の電源スイッチに対するユーザ操作の有無の監視、ＣＥＣの必要最低限の通信処理のみを行うモードとしている。
（１）ユーザ操作を検知しない状態が規定時間以上続くと、電源ＯＮモードからパワーセーブモードに移行する。
（２）シンク機器からＨＤＭＩケーブルのＨＰＤ信号線を介して伝送されてくるＨＰＤ信号がＬｏｗレベル（＝グランド電位レベル）である状態が規定時間以上続くと、電源ＯＮモードからパワーセーブモードに移行する。
【００３７】
動画撮影時は、カメラ部３０で撮影された映像情報及びマイク３１より入力された音声情報が画像音声処理部３３においてそれぞれ圧縮処理され、外部メモリインタフェース３５を介して外部メモリ４０に記録される。
【００３８】
動画再生時は、デジタルビデオカメラ２００が外部機器（シンク機器）にＨＤＭＩ接続されているか否かによって若干動作が異なる。デジタルビデオカメラ２００が外部機器（シンク機器）にＨＤＭＩ接続されていない場合は、外部メモリ４０から読み出された映像情報及び音声情報が画像音声処理部３３においてそれぞれ伸長処理され、表示部３７に動画が表示され、スピーカ３２から音声が再生される。これに対して、デジタルビデオカメラ２００が外部機器（シンク機器）にＨＤＭＩ接続されている場合は、外部メモリ４０から読み出された映像音声情報及び音声情報が画像音声処理部３３においてそれぞれ伸長処理され、ＨＤＭＩ出力部３８から外部機器（シンク機器）へＴＭＤＳ形式で伝送される。
【００３９】
次に、デジタルビデオカメラ２００と本発明に係るデジタルテレビ１００とをＨＤＭＩ接続した様子を図３に示す。本発明に係るデジタルテレビ１００は、電源クレードル３００を介して、デジタルビデオカメラ２００とＨＤＭＩケーブル４００で接続されている。
【００４０】
ＨＤＭＩケーブル４００の一端は、本発明に係るデジタルテレビ１００に設けられている３つのＨＤＭＩ端子のうちの一つに接続される。また、ＨＤＭＩケーブル４００の他端は、電源クレードル３００に設けられているＨＤＭＩ端子に接続される。そして、デジタルビデオカメラ２００が電源クレードル３００に載置されると、デジタルビデオカメラ２００のコネクタと電源クレードル３００のコネクタが接続され、本発明に係るデジタルテレビ１００のＨＤＭＩ入力部３とデジタルビデオカメラ２００のＨＤＭＩ出力部３８とがＨＤＭＩケーブル４００及び電源クレードル３００を介して接続される。
【００４１】
次に、本発明に係るデジタルテレビ１００のＨＭＤＩ入出力部の構成例を図４に示す。図４に示すように、ＨＭＤＩ入力部３は、第１のＨＤＭＩ端子３Ａ１と、第２のＨＤＭＩ端子３Ａ２と、第３のＨＤＭＩ端子３Ａ３と、抵抗３Ｂ１〜３Ｂ３と、プルダウン用スイッチ３Ｃ１〜３Ｃ３と、第１の“入力”切替用スイッチ３Ｄと、第２の“入力”切替用スイッチ３Ｅとを有する。尚、図４においてＤＤＣ及びＣＥＣに関する部分については図示を省略している。プルダウン用スイッチ３Ｃ１〜３Ｃ３は、制御端子に供給される制御信号がＬｏｗレベルである場合にオン状態となり、制御端子に供給される制御信号がＨｉｇｈレベルである場合にオフ状態となるスイッチである。
【００４２】
第１のＨＤＭＩ端子３Ａ１のＤＤＣ５Ｖピン（不図示）は、ＤＤＣ５Ｖラインによって第１の“入力”切替用スイッチ３Ｄの第１の接点に接続される。また、第１のＨＤＭＩ端子３Ａ１のＨＰＤピン（不図示）は、ＨＰＤライン及び抵抗３Ｂ１を介してＤＤＣ５Ｖラインに接続される。ＨＰＤラインと抵抗３Ｂ１との接続ノードにはプルダウン用スイッチ３Ｃ１の一端が接続され、プルダウン用スイッチ３Ｃ１の他端はグランドに接続される。プルダウン用スイッチ３Ｃ１の制御端子には、第２の“入力”切替用スイッチ３Ｅの第１の接点からの制御信号が供給される。
【００４３】
第２のＨＤＭＩ端子３Ａ２、第３のＨＤＭＩ端子３Ａ３については、第１及び第２の“入力”切替用スイッチ３Ｄ及び３Ｅの接点が異なる点を除いて第１のＨＤＭＩ端子３Ａ１と同様であるので、説明を省略する。
【００４４】
映像・音声処理部２１内のホットプラグ制御部２０は、第２の“入力”切替用スイッチ３Ｅの極にＬｏｗレベル又はＨｉｇｈレベルの制御信号を出力する一方、第１の“入力”切替用スイッチ３Ｄの極からＤＤＣ５Ｖ信号が送られてきた場合はそれを受け取る。
【００４５】
また、第１のＨＤＭＩ端子３Ａ１のＴＭＤＳピン（不図示）、第２のＨＤＭＩ端子３Ａ２のＴＭＤＳピン（不図示）、及び第３のＨＤＭＩ端子３Ａ３のＴＭＤＳピン（不図示）は、第２の“入力”切替用スイッチ３Ｅ内で直結されるＴＭＤＳラインによって映像・音声処理部２１内のスイッチ９に接続される。
【００４６】
通常、ＨＤＭＩ端子を有するデジタルテレビは、電源ＯＮモードへの移行時や“入力”切替時などに、ソース機器が接続されている状態においてＨＰＤ信号がＬｏｗレベルからＨｉｇｈレベルに移行するような制御を行っている。ＨＰＤ信号のＬｏｗレベルからＨｉｇｈレベルへの移行は、ＴＭＤＳ形式のＡＶデータを出力するタイミングをソース機器側に通知する役目をしている。
【００４７】
通常、デジタルビデオカメラが、パワーセーブモードになっている場合、ユーザは、デジタルビデオカメラの電源スイッチや他のキーを押すことにより、デジタルビデオカメラのモードを電源ＯＮモードに移行させる。
【００４８】
本発明に係るデジタルテレビ１００とＨＤＭＩケーブル４００で接続されるデジタルビデオカメラ２００は、電源ＯＮ要求コマンドによっても、電源ＯＮモードへの移行が可能な仕様にしている。ＣＥＣコマンドには、各社共通の汎用コマンドとメーカー独自に定義可能なベンダーコマンドとがあり、電源ＯＮ要求コマンドはベンダーコマンドで実現可能である。
【００４９】
本発明に係るデジタルテレビ１００は、以下の制御を行うことにより、ＨＤＭＩケーブル４００で接続されるデジタルビデオカメラ２００が不用意にパワーセーブモードに陥ったままになることを防止する。
【００５０】
リモコン送信機７若しくは本発明に係るデジタルテレビ１００の操作部の“入力”切替機能が割り当てられたキーがユーザ操作により押された場合、又は、リモコン送信機７のデジタルビデオカメラ２００専用機能が割り当てられたキーがユーザ操作により押された場合、本発明に係るデジタルテレビ１００の第１のＣＰＵ１６は、図５のフローチャートに示す処理を行う。
【００５１】
第１のＣＰＵ１６は、デジタルビデオカメラ２００が接続されているＨＤＭＩ端子に“入力”を切り替える（ステップＳ１０）。具体的には、以下のような処理を行う。
【００５２】
第１のＣＰＵ１６は、第１及び第２の“入力”切替用スイッチ３Ｄ及び３Ｅが所望の接点（第１〜第３の接点のうち、デジタルビデオカメラ２００が接続されているＨＤＭＩ端子に対応する接点）を選択するように第１及び第２の“入力”切替用スイッチ３Ｄ及び３Ｅを制御し、ホットプラグ制御部２０がＨｉｇｈレベルの制御信号を出力するように映像・音声処理部２１を制御し、所望のプルダウン用スイッチをオフ状態にする。
【００５３】
ステップＳ１０に続くステップＳ２０において、所定時間（例えば１．５秒〜２秒程度）待機する。その後、ステップＳ第１のＣＰＵ１６は、ＴＭＤＳ形式のＡＶデータが映像・音声処理部２１のスイッチ９に伝送されているか否かを確認する（ステップＳ３０）。
【００５４】
ＴＭＤＳ形式のＡＶデータが映像・音声処理部２１のスイッチ９に伝送されていれば（ステップＳ３０のＹＥＳ）、第１のＣＰＵ１６は、デジタルビデオカメラ２００が電源ＯＮモードであると判断し、電源ＯＮ要求コマンドを送信しない。
【００５５】
ＴＭＤＳ形式のＡＶデータが映像・音声処理部２１のスイッチ９に伝送されていなければ（ステップＳ３０のＮＯ）、第１のＣＰＵ１６は、デジタルビデオカメラ２００がパワーセーブモードであると判断し、電源ＯＮ要求コマンドをデジタルビデオカメラ２００側に送信する（ステップＳ４０）。本実施形態においては、電源ＯＮ要求コマンドの送信回数を１回又は２回とする。
【００５６】
上述したステップＳ１０の処理の際に、ＨＤＭＩケーブル４００を介してデジタルビデオカメラ２００が接続されているＨＤＭＩ端子のＨＰＤ信号が一時的にＬｏｗレベルになり、デジタルビデオカメラ２００がＬｏｗレベルのＨＰＤ信号に反応して不用意にパワーセーブモードに陥る場合がある。しかしながら、本発明に係るデジタルテレビ１００は、上述したＳ３０〜Ｓ４０の処理を行うため、デジタルビデオカメラ２００が不用意にパワーセーブモードに陥った場合でも電源ＯＮモードに戻すことができる。
【００５７】
また、本発明に係るデジタルテレビ１００は、上記の制御タイミングを工夫することにより、映像提示時間としては遅くならないことを実現している。
【００５８】
一般に、ＨＤＭＩの映像提示時間は３〜４秒程度である。映像提示までの間には、ＨＰＤ信号がＬｏｗレベルからＨｉｇｈレベルになった後、ＨＤＣＰの認証（ソース機器の種類によって行われないこともある）、ＴＭＤＳ形式のＡＶデータが出力され、デジタルテレビ側で信号が安定したことを検知した後に映像が提示される。
【００５９】
本発明に係るデジタルテレビ１００では、“入力”の切り替え時、所望のＨＤＭＩ端子、すなわちＨＤＭＩケーブル４００を介してデジタルビデオカメラ２００に接続されているＨＤＭＩ端子へ経路を切り替え、その後、所定時間（例えば１．５秒〜２秒程度）待機してから、デジタルビデオカメラ２００に電源ＯＮ要求コマンドを送信している。ＨＤＭＩの経路さえ確立すれば、デジタルビデオカメラ２００はパワーセーブモードであってもＴＭＤＳ形式のＡＶデータ出力のための下準備を実行することができるので、所定時間（例えば１．５秒〜２秒程度）待機してからデジタルビデオカメラ２００を電源ＯＮモードにしても、一般なＨＤＭＩの映像提示時間とほぼ同じ時間で映像を提示することができる。
【００６０】
また、本発明に係るデジタルテレビ１００は、所定時間待機後に電源ＯＮ要求コマンドを送信する仕様であるため、所定時間待機中にユーザが別の“入力”に切り替えた場合、待機状態からの中止処理となり非常に短い時間での中止処理の完了が可能となる。これに対して、従来の仕様であれば“入力”切替完了後に実行された処理の中止手順を全て行うため１秒程度の待ち時間が発生してしまう。
【００６１】
本発明に係るデジタルテレビ１００の第１のＣＰＵ１６は、デジタルビデオカメラ２００側からの電源ＯＮ要求コマンドを受け取った際は、図６のフローチャートに示す処理を行う。
【００６２】
まず、第１のＣＰＵ１６は、スタンバイモードから電源ＯＮモードにモードを切り替える（ステップＳ１１０）。
【００６３】
次に、第１のＣＰＵ１６は、デジタルビデオカメラ２００が接続されているＨＤＭＩ端子に“入力”を切り替える（ステップＳ１２０）。具体的な処理については、図５のステップＳ１０の具体的な処理と同様であるため、ここでは説明を省略する。
【００６４】
ステップＳ１２０での“入力”の切り替えが完了した後、第１のＣＰＵ１６は所定時間（例えば１秒程度）待機する（ステップＳ１３０）。ステップＳ１３０に続くステップＳ１４０において、第１のＣＰＵ１６は、電源ＯＮ要求コマンドをデジタルビデオカメラ２００側に送信する。本実施形態においては、電源ＯＮ要求コマンドの送信回数を１回又は２回とする。
【００６５】
上述したステップＳ１２０の処理の際に、ＨＤＭＩケーブル４００を介してデジタルビデオカメラ２００が接続されているＨＤＭＩ端子のＨＰＤ信号が一時的にＬｏｗレベルになり、デジタルビデオカメラ２００がＬｏｗレベルのＨＰＤ信号に反応して不用意にパワーセーブモードに陥る場合がある。しかしながら、本発明に係るデジタルテレビ１００は、上述したＳ１４０の処理を行うため、デジタルビデオカメラ２００が不用意にパワーセーブモードに陥った場合でも電源ＯＮモードに戻すことができる。
【００６６】
尚、以上で説明した実施形態はあくまで一例であり、本発明の趣旨を逸脱しない範囲でのあらゆる変更が可能である。例えば、デジタルビデオカメラ２００にＨＤＭＩ端子を設け、本発明に係るデジタルテレビ１００とデジタルビデオカメラ２００とが電源クレードル３００を介さずにＨＤＭＩケーブル４００で接続されるようにしてもよい。
【００６７】
ソース機器はデジタルビデオカメラに限定されず例えばデジタルスチルカメラであってもよい。また、シンク機器に該当する本発明に係る電子機器はデジタルテレビに限定されず例えばパーソナルコンピュータであってもよい。
【００６８】
また、図５に示すフローチャートの処理において、ステップＳ３０の処理を省くことも可能である。それとは逆に、図６に示すフローチャートの処理において、ステップＳ１３０とステップＳ１４０の間にステップＳ３０と同じ処理を行うステップを設け、ＴＭＤＳ形式のＡＶデータが映像・音声処理部２１のスイッチ９に伝送されていれば、電源ＯＮ要求コマンドを送信しないようにし、ＴＭＤＳ形式のＡＶデータが映像・音声処理部２１のスイッチ９に伝送されていなければ、所定時間待機後、電源ＯＮ要求コマンドをデジタルビデオカメラ２００側に送信するようにしてもよい。
【図面の簡単な説明】
【００６９】
【図１】は、本発明に係るデジタルテレビの概略構成を示す図である。
【図２】は、本発明に係るデジタルテレビとのＨＤＭＩ接続が可能であるデジタルビデオカメラの概略構成を示す図である。
【図３】は、デジタルビデオカメラと本発明に係るデジタルテレビとをＨＤＭＩ接続した様子を示す図である。
【図４】は、本発明に係るデジタルテレビ１００のＨＭＤＩ入出力部の構成例を示す図である。
【図５】は、ユーザ操作に応じて“入力”切替を行う際に、本発明に係るデジタルテレビで行われる処理を示すフローチャートである。
【図６】は、デジタルビデオカメラ側からの電源ＯＮ要求コマンドを受け取った際に、本発明に係るデジタルテレビで行われる処理を示すフローチャートである。
【符号の説明】
【００７０】
１００    デジタルテレビ
２００    デジタルビデオカメラ
３００    電源クレードル
４００    ＨＤＭＩケーブル
１    アンテナ
２    チューナ
３    ＨＤＭＩ入力部
４    ＡＶ入力部
５    ＤＥＭＵＸ（デマルチプレクサ）
６    ＡＶデコーダ
７    リモコン送信機
８    リモコン受光部
９    スイッチ
１０    映像処理部
１１    ＯＳＤ／スケーラ
１２    映像出力部
１３    音声処理部
１４    音声出力部
１５    スピーカ
１６    第１のＣＰＵ
１７    第２のＣＰＵ
１８    メモリ
１９    表示部
２０    ホットプラグ制御部
２１    映像・音声処理部
３０    カメラ部
３１    マイク
３２    スピーカ
３３    画像音声処理部
３４    制御部
３５    外部メモリインタフェース
３６    操作部
３７    表示部
３８    ＨＤＭＩ出力部
３９    リモコン受光部
４０    外部メモリ
【図１】
2010010855.tif 000003
【図２】
2010010855.tif 000004
【図３】
2010010855.tif 000005
【図４】
2010010855.tif 000006
【図５】
2010010855.tif 000007
【図６】
2010010855.tif 000008